(57)【特許請求の範囲】
【請求項１】
オンライン書店が販売した電子書籍を配信サーバから利用者端末に配信する電子書籍販売システムであって、
前記電子書籍販売システムはオンライン書店を識別する書店ＩＤとオンライン書店のネットワークアドレスを対応付けて記憶する変換サーバを有し、
配信サーバは
配信する電子書籍に当該電子書籍を購入したオンライン書店の書店ＩＤと変換サーバのネットワークアドレスを付加して利用者端末に配信する配信手段を有し、
前記利用者端末は
前記配信サーバから配信された電子書籍に付加された書店ＩＤを電子書籍に付加されたネットワークアドレスの前記変換サーバに送信してオンライン書店のネットワークアドレスを要求するアドレス要求手段と、
前記変換サーバから送信されたオンライン書店のネットワークアドレスにアクセスする手段を有し、
前記変換サーバは
前記利用者端末から送信された書店ＩＤに基づいてオンライン書店のネットワークアドレスを検索して前記利用者端末に送信する手段を有することを特徴とする電子書籍販売システム。
【請求項２】
オンライン書店が販売した電子書籍を配信サーバにより利用者端末に配信する電子書籍の販売方法であって、
変換サーバにオンライン書店を識別する書店ＩＤとオンライン書店のネットワークアドレスを対応付けて記憶するステップと、
配信サーバが配信する電子書籍に当該電子書籍を購入したオンライン書店の書店ＩＤと変換サーバのネットワークアドレスを付加して配信するステップと、
前記利用者端末が前記配信サーバから配信された電子書籍に付加された書店ＩＤを電子書籍に付加された前記ネットワークアドレスの変換サーバに送信してオンライン書店のネットワークアドレスを要求するステップと、
前記変換サーバが前記利用者端末から送信された書店ＩＤに基づいてオンライン書店のネットワークアドレスを検索して前記利用者端末に送信するステップと、
利用者端末が変換サーバから送信されたオンライン書店のネットワークアドレスにアクセスするステップ
とからなることを特徴とする電子書籍の販売方法。
【発明の詳細な説明】
【技術分野】
【０００１】
本発明はインターネット内に開設されたオンライン書店から購入した電子書籍の続編等の関連書籍を購入する時、多くの操作を必要とせず簡便に前回購入したオンライン書店にアクセスすることを可能とする電子書籍の販売システム及び電子書籍の販売方法に関するものである。
【背景技術】
【０００２】
インターネット内には多くのオンライン書店が開設されており、利用者は利用者端末が有するWWWブラウザを利用してオンライン書店の一つを選択し、希望する電子書籍を購入する。購入した電子書籍を利用者の端末にダウンロードする方法には、電子書籍を購入したオンライン書店の配信サーバからダウンロードする方法と、複数のオンライン書店の配信を仲介する取次書店の配信サーバからダウンロードする方法がある。
電子書籍のダウンロードに関する文献には、特開２００３−１５０５９７号公報がある。同文献に記載される技術は、電子書籍サーバは電子書籍の利用者ＩＤとダウンロード権利を与えた書籍データの書籍データＩＤコードとを対応付けた書籍／購入者対応テーブルを生成し、ダウンロード要求を受けると、書籍／購入者対応テーブルに基づいて予めダウンロード権利が取得された書籍データであることを確認できた場合に予め決められたデータ量分だけダウンロードするものである。
【０００３】
インターネットなどのネットワークを利用して購入した書籍の関連情報を管理する文献には、特開２００４−８６６２８号公報がある。同公報に記載される構成は、利用者端末装置がネットワークで接続された販売情報管理装置に書籍情報を利用者の識別情報に関連付けて記憶する購入データベースと、書籍と該書籍の関連情報を記憶する書籍データベースとを備え、受信した識別情報に基づき購入データベース中の該識別情報に関連した書籍情報を検索し、かつ前記検索した物品情報に基づき前記書籍データベースから該書籍の関連情報を抽出しウェブ端末に発信するものである。
【０００４】
電子書籍を購読した利用者が、購読した書籍の続編等の関連書籍の購入する場合がある。この場合、多くの利用者は前回利用したオンライン書店からの購入を希望する。また、オンライン書店にとっても、このような利用者が自店のホームページを利用して関連書籍を購入することが望ましい。しかしながら、電子書籍を取次書店の配信サーバからダウンロードした場合、通常、利用者の端末には書籍を購入したオンライン書店の情報は残らない。従って、利用者はWWWブラウザを利用して目的のオンライン書店を検索する動作から繰り返す必要がある。
【特許文献１】特開２００３−１５０５９７号公報
【特許文献２】特開２００４−８６６２８号公報
【発明の開示】
【発明が解決しようとする課題】
【０００５】
インターネット内に開設されたオンライン書店で購入した電子書籍を利用者の端末にダウンロードする方法には、(ａ)電子書籍を購入したオンライン書店の配信サーバからダウンロードする方法と、(ｂ)複数のオンライン書店の配信を仲介する取次書店の配信サーバからダウンロードする方法がある。
図１０は上記の(ａ)及び(ｂ)に対応するインターネット上の構成の概要であり、図１１はオンライン書店と取次書店間の電子書籍の取り扱いを示す図である。
図１１(ａ)に示される電子書籍をオンライン書店の配信サーバからダウンロードする構成では、出版社1101は電子書籍の取り扱いをオンライン書店1002と個別に交渉する。取り扱うことを決定したオンライン書店1002は、電子書籍を自身の配信サーバに蓄積する。図１０(ａ)に示されるように、電子書籍の購入を希望する利用者は、利用者の携帯電話機等の端末1001からオンライン書店1002のウェブサーバにアクセスし、所定の手順に従って購入の手続きを行う(1003)。購入の手続が完了するとオンライン書店の配信サーバは利用者の端末1001に暗号化された電子書籍と、暗号解読のためのキー情報を配信する(1004)。この構成では、オンライン書店は配信サーバに蓄積し配信する電子書籍のヘッダー部等に自己のウェブサーバのURLを挿入することが可能である。従って、電子書籍を購入した利用者は、電子書籍に挿入されているウェブサーバのURLを用いて当該電子書籍を購入したオンライン書店のウェブサーバにアクセスし続編等の関連書籍を購入することが可能である。
【０００６】
しかし、多くのオンライン書店が電子書籍を販売する形態は、図１１(ｂ)及び図１０(ｂ)に示されるような取次書店を介する形態である。この形態は図１１(ｂ)に示されるように、出版社1101は電子書籍の取り扱いを取次書店1013に一括で依頼する。取次書店1013と契約した複数のオンライン書店1012が、自己のウェブサーバに電子書籍の販売ページを設け、利用者の購入の申し込みを待つ。電子書籍の購入を希望する利用者はインターネットを検索し、希望する電子書籍を取り扱っているオンライン書店1012の一つを選択して、そのウェブサーバをアクセスする。図１０(ｂ)に示されるように、ウェブページの購入ページから購入の申し込みを行う(1014)。申し込みを受け付け、売買契約を行ったオンライン書店1012のウェブサーバは、売買契約を特定する識別情報と取次書店が設置した配信サーバのURLを利用者の端末1011に送信する(1015)。
【０００７】
配信サーバのURLを受信した利用者端末1011はHTTPリダイレクト等の方法を利用して取次書店の配信サーバ1013をアクセスして識別情報を送信する(1017)。配信サーバ1013は受信した識別情報を解析し、指定された電子書籍と電子書籍の暗号を解読するキー情報を利用者端末1011に送信する(1018)。
この構成では、複数のオンライン書店で電子書籍を購入した利用者が取次書店の配信サーバ1013をアクセスして電子書籍の配信を要求する。従って、電子書籍に利用者が購入したオンライン書店の情報を挿入することできない。
取次書店を介して配信された電子書籍の関連書籍の購入を希望する利用者は、端末1011のWWWブラウザを起動して目的のオンライン書店を検索した後、当該オンライン書店のウェブサーバから目的の書籍を探す等の多くのステップを必要とする。
本発明は、購入した電子書籍を取次書店の配信サーバからダウンロードした利用者が、購読した電子書籍の続編等の関連書籍を購入する場合、WWWブラウザを利用して目的のオンライン書店を検索する等の、複雑な操作をすることなく、前回電子書籍を購入したオンライン書店のウェブサーバをアクセスすることが可能な電子書籍販売システムと電子書籍販売方法を提供するものである。
【課題を解決するための手段】
【０００８】
本発明の第１の実施態様は、取次書店の配信サーバから購入者に配信される電子書籍のヘッダーに、利用者が電子書籍を購入したオンライン書店を特定する書店ＩＤを挿入する構成を有するものである。また、前記の書店ＩＤからオンライン書店のウェブサーバのURLを検索して利用者の端末に送信する変換サーバを取次書店のサーバとして設けるものである。第２の実施態様は、上記の変換サーバをインターネット内の取次書店とは異なるアドレス(URL)に設置する、又は、携帯電話網の中に設置するものである。
上記構成により利用者は端末から変換サーバに前記の書店ＩＤを送信することにより、前回電子書籍を購入したオンライン書店のURLを取得することが可能になり、HTTPリダイレクト等の手法を利用することにより、多くの操作を必要とすること無く、オンライン書店のウェブサーバにアクセスすることが可能になる。
【０００９】
図１(ａ)は、本発明の第１の実施態様の概要を示すものあり、取次書店のシステム内に利用者が購入した電子書籍を配信する配信サーバ121と、続編等の関連書籍の購入を希望する利用者が送信した書店ＩＤをオンライン書店のURLの変換する変換サーバ122を設置する構成である。
電子書籍の購入は、携帯電話機等の利用者端末101からオンライン書店のウェブサーバに対して電子書籍の購入を申し込み、購入手続きを行う段階113と、利用者端末101により取次書店のシステム内に設置されている配信サーバにアクセスして、購入した電子書籍の配信を受ける段階114からなっている。利用者が先に購入した電子書籍の関連書籍を購入する場合、利用者端末101により取次書店のシステム内に設置されている変換サーバにアクセスして前回電子書籍を購入したオンライン書店のURLを取得する段階115と、変換サーバから取得したオンライン書店のURLに基づいてオンライン書店のウェブサーバにアクセスする段階116からなっている。
【００１０】
図１(ｂ)は、変換サーバ122に関連する制御の流れの概要図である。変換サーバ122にはオンライン書店の書店ＩＤとオンライン書店のウェブサーバのURLを対応づけて記憶するデータベース(書店テーブル)が設けられている。取次書店120は書店ＩＤとウェブサーバのURLを変換サーバ122に適宜登録する(段階132)。
段階131で取次書店120から電子書籍を配信された利用者が関連書籍の購入を希望すると、利用者端末101に関連書籍の購入を指示する。この指示を受けた利用者端末101は変換サーバ122にアクセスし電子書籍のヘッダーに格納されている書店ＩＤに送信する。変換サーバ122は書店ＩＤに基づいてデータベースを検索し、書店ＩＤに対応するオンライン書店のURLを取得する(段階133)。利用者端末101のWWWブラウザはHTTPリダイレクト等の手法によりアクセス先を上記URLが示すオンライン書店111のウェブサーバに変更する(段階134)。
この構成により、利用者はオンライン書店の検索等、多くの操作をすること無く、希望する電子書籍を取り扱っているオンライン書店のウェブページを利用することが可能となる。
【００１１】
利用者端末101と電子書籍の購入手続を終了したオンライン書店111のウェブサーバは、利用者端末101に取引内容を特定する情報(識別情報)と配信サーバ121のURLを送信する。これらの情報を受信した利用者端末101は前記URLが示す配信サーバ121にアクセスする(図１の段階114)。
図２(ａ)は配信サーバ121の構成を示す図であり、図２(ｂ)は配信サーバ121から利用者端末101に配信される電子書籍の構成を示す図である。
配信サーバ121の購入書籍判断部202は、ネットワークインターフェース201を介して利用者端末101が送信した識別情報を受信し解析することにより、利用者が利用したオンライン書店の情報、及び、オンライン書店から購入した電子書籍のタイトル等の情報を取得する。
【００１２】
電子書籍データ読出部203は購入書籍判断部202が識別情報から取得した電子書籍のタイトルに基づいて電子書籍データベース204を検索する。電子書籍データベース204は配信サーバ121が配信する電子書籍のデータを蓄積するデータベースであり、要求された電子書籍のデータを出力する。
電子書籍形成部205は、電子書籍データベース204から読み出された電子書籍のデータを暗号化すると共に、ヘッダー部に書店ＩＤ、変換サーバのURL等、必要な情報を付加して配信データを形成する。形成された配信データはネットワークインターフェース201を介して利用者端末101に送信される。
【００１３】
図２(ｂ)は配信サーバ121から利用者端末101に配信される電子書籍の構成を示す図である。配信される電子書籍210は暗号化された電子書籍の本体であるデータ212とヘッダー211から構成されている。
ヘッダー211には利用者が電子書籍を購入したオンライン書店を識別する情報(書店ＩＤ)213と変換サーバ122のURL214が格納される。また、図示されていないが、電子書籍データ212の暗号を解読する暗号解読キーを提供するDRM(Digital Rights Management  デジタル著作権管理)サーバのURL等、電子書籍に必要な情報が格納される。電子書籍を受信した利用者は、DRMサーバから暗号解読用のキーを取得し、利用者端末101の閲覧ソフトを利用して電子書籍データを閲覧する。
【００１４】
購入した電子書籍の関連書籍の購入を希望する利用者は、購入した電子書籍のヘッダー211に格納されている変換サーバのURL214をアクセスする(図１の段階115)。図３−１(ａ)は変換サーバ122の構成を示す図であり、図３−１(ｂ)は変換サーバ122が有する書店テーブル303の第１の構成例、図３−２は書店テーブル303の第２の構成例である。
関連書籍の購入を希望する利用者の端末101は書籍のヘッダー211に格納されている書店ＩＤ213を変換サーバ122に送信する。ネットワークインターフェース301を介して書店ＩＤ213を受信した書店URL検索部302は、書店テーブル303から書店ＩＤ213に対応するオンライン書店のURLを取得する。図３(ｂ)に示され書店テーブル303には、書店ＩＤ305から対応するURL306が検索可能に記憶されている。
オンライン書店のURLを受信した利用者端末101は接続先を当該URLに変更(リダイレクト)する。リダイレクトコマンド生成部304は、書店URL検索部302が書店テーブル303から取得したURLを、リダイレクトを指定するHTMLコマンドに組み込み、ネットワークインターフェース301を介して送信する。
【００１５】
図３−１に示される構成は、書店ＩＤを該当する書店のウェブサーバの先頭ページのURLに変換する構成である。利用者端末101から変換サーバ122に、書店ＩＤと電子書籍のタイトルあるいは電子書籍を特定する書籍ＩＤを送信し、オンライン書店のウェブページ内の当該電子書籍に対応するページのURLを検索する構成とすることが可能である。図３−２は、書店ＩＤと電子書籍のタイトル(書籍ＩＤ)から書店のウェブページ内の該当するページのURLを検索する例である。書店ＩＤ308には当該書店のウェブページの先頭アドレス(URL)309が対応付けられている。書店ＩＤ308の下位には複数の書籍のタイトル欄310が設けられている。各タイトルにはウェブページ内の当該書籍に関するページのURL311が対応付けられている。
変換サーバの書店URL検索部は利用者端末から送信された書店ＩＤと書籍のタイトル(又は書籍ＩＤ)により書店テーブル307を検索して対応するURLを取得する。対応するタイトルが存在しない場合、あるいはタイトルが利用者端末から送信されなかった時は、ウェブページの先頭URL309を返信する。
【００１６】
図４は、本発明で使用される携帯電話機等の利用者端末101の概要図である。利用者端末101は制御部402、ネットワークインターフェース405、閲覧ソフト403、WWWブラウザ404、及びデータメモリ401等から構成されている。
制御部402は他の構成を制御すると共に、ネットワークインターフェース405を介してDRMサーバにアクセスして電子書籍データの暗号解読キーを取得する等の動作を行う。
制御部402は利用者の指示によりWWWブラウザ404を起動してオンライン書店のウェブサーバ、配信サーバ121、変換サーバ122の間で情報の授受を行う。WWWブラウザ404は配信サーバ121から受信した電子書籍210をデータメモリ401に記憶する。閲覧ソフト403はデータメモリ401に記憶された電子書籍210の電子書籍データ212を表示部に表示し、利用者の閲覧に供する。
【００１７】
図５は図１示される段階113ないし段階116のより詳細なシーケンス図である。図６は段階113及び段階114に対応するものであり、利用者が電子書籍を購入するフローである。また、図７は段階115及び段階116に対応するものであり、利用者が先に購入した電子書籍の続編等の関連書籍を購入するフローである。図５を参照して、図６と図７に示されるフローを説明する。
【００１８】
ステップ６０１：(シーケンス501)電子書籍の購入を希望する利用者は、携帯電話機等の利用者端末101のWWWブラウザ404を操作して希望する電子書籍を取り扱っているオンライン書店111のウェブページを選択する。
ステップ６０２：(シーケンス502)購入書籍を決定する。利用者はWWWブラウザ404を操作し、オンライン書店111のウェブサーバとの間で購入の手続を行う。
ステップ６０３：オンライン書店111のウェブサーバは利用者端末101を介して利用者の情報を収集し課金方法等の決定を行う。購入手続きが完了したオンライン書店111のウェブサーバは購入された電子書籍等の売買契約を識別する識別情報を生成する。識別情報には購入された電子書籍の識別情報(書籍ＩＤ)の他、電子書籍を販売したオンライン書店の識別情報(書店ＩＤ)等、販売管理上必要な情報を格納する。
ステップ６０４：(シーケンス503)オンライン書店111のウェブサーバは利用者端末101に識別情報と共に取次書店120に設置されている配信サーバ121のURLを送信する。配信サーバ121のURLを受信した利用者端末101のWWWブラウザ404(図４)がアクセス先を自動的に配信サーバ121のURLに変更(リダイレクト)することを可能とするために、配信サーバのURLにHTTPリダイレクトを指定するHTLMタグを付加して送信する。なお、METAタグあるいはスクリプト(CGI)によるリダイレクトも可能である。
【００１９】
ステップ６０５：(シーケンス504)オンライン書店111のウェブサーバから配信サーバのURLを受信した利用者端末101のWWWブラウザ404は、接続先をURLで指定される配信サーバに変更する。
ステップ６０６：(シーケンス505)WWWブラウザ404はオンライン書店のウェブサーバから送信された識別情報を配信サーバ121に送信する。
【００２０】
ステップ６０７：配信サーバ121の購入書籍判断部202(図２)は、ネットワークインターフェース201を介して受信した識別情報を解析し、利用者が購入した電子書籍と購入したオンライン書店の情報を抽出する。抽出した電子書籍の情報を電子書籍データ読出部203に送る。電子書籍データ読出部203は電子書籍の識別情報に基づいて電子書籍データベース204を検索し、対応する電子書籍データを読み出す。
ステップ６０８：電子書籍形成部205は電子書籍データ読出部203が読み出した電子書籍データを暗号化し、ヘッダー部を付加し、図２(ｂ)に示される電子書籍の配信データを形成する。電子書籍のヘッダー部211には利用者が当該電子書籍を購入したオンライン書店の書店ＩＤ213と、変換サーバのURL214が含まれる。また、ベッダ部には暗号化された電子書籍データを解読するための暗号解読キーを配信するDRMサーバのURL等、電子書籍に必要な情報が格納される。
ステップ６０９：(シーケンス506)配信サーバ121はネットワークインターフェース201を介して、電子書籍(図２(ｂ))を利用者端末101に送信する。
ステップ６１０：利用者端末101のWWWブラウザ404は、ネットワークインターフェース405を介して配信サーバ121から送信された電子書籍210をデータメモリ401に格納する。電子書籍210が格納されたことを検知した制御部402は、電子書籍210のベッダ211の情報に従ってDRMサーバに接続して暗号解読キーを取得し、電子書籍データ212の暗号を解除する。
ステップ６１１：利用者は閲覧ソフトを起動しデータメモリ401に格納されている電子書籍を閲覧する。
【００２１】
図７−１は電子書籍を購入した利用者が、当該電子書籍の続編等の関連書籍を購入するフローであり、図７−２は利用者端末である携帯電話機に表示されるガイダンス画面の例である。
ステップ７０１：利用者は端末装置101の閲覧ソフト403を起動して電子書籍データ212を表示器に表示し、書籍を閲覧する(図６のステップ６１１)。
ステップ７０２、ステップ７０３：書籍の閲覧中に、あるいは書籍を読み終わった時(図７−２(ａ))に、当該書籍の続編等の購入を希望する利用者は、閲覧ソフト403に付属するファンクションキーを操作して、関連書籍を購入する処理を開始する(図７−２(ｂ))。
ステップ７０４：閲覧ソフト403の関連書籍購入のキーが操作されたことにより、制御部402は閲覧ソフト403を終了し、データメモリ401に記憶されている電子書籍210のヘッダー211から変換サーバのURL214と、当該電子書籍を購入したオンライン書店111の書店ＩＤ213を読み出す。
ステップ７０５：制御部402はWWWブラウザ404を起動し、書店ＩＤ、電子書籍のタイトル、変換サーバのURLを渡す。
【００２２】
ステップ７０６：(シーケンス507)WWWブラウザ404は制御部402から渡されたURLが示す変換サーバ122に接続し、書店ＩＤを送信する(図３−２に示される書店テーブルを用いるシステム構成では電子書籍のタイトルも送信する)。
ステップ７０７：変換サーバ122の書店URL検索部302はネットワークインターフェース301を介して受信した書店ＩＤと電子書籍のタイトルに基づいて書店テーブル303を検索する。書店テーブルが図３−１(b)に示され形式の場合はオンライン書店のウェブページの先頭URLが得られ、図３−２に示され形式の場合はウェブページ内の電子書籍に対応するページのURLが得られる。
ステップ７０８：(シーケンス508) 変換サーバ122のリダイレクトコマンド生成部304は書店URL検索部302が検索したURLに、URL情報を受信したWWWブラウザが接続先を当該URLに変更(リダイレクト)するコマンドを付加する。リダイレクトはHTTPリダイレクトによる方法、METAタグによる方法、スクリプトによる方法等が存在する。
ステップ７０９：(シーケンス510)端末装置101のWWWブラウザ404が変換サーバ122からリダイレクトの指示を受信すると、リダイレクトコマンドにより接続先を変換サーバ122からオンライン書店に変更する。図７−２(ｃ)は、接続先をオンライン書店に変更することを利用者に確認する画面の例である。利用者が接続を許可するとWWWブラウザ404はオンライン書店のウェブサーバをアクセスして、図７−２(ｄ)の示されるウェブページを表示する。ウェブサーバが図３−２の311に示される電子書籍に対応するページのURLを送信した場合は、直接電子書籍のページをアクセスする(図７−３(ｅ))。
ステップ７１０、ステップ７１１：(シーケンス510、)図７−２(ｅ)に示されるように、利用者はWWWブラウザ404を操作して目的の書籍を検索し購入する。
【００２３】
本発明は、電子書籍のヘッダーに当該電子書籍を購入したオンライン書店を識別する情報である書店ＩＤを格納しておき、利用者が続編等の関連書籍の購入を希望する際、上記の書店ＩＤを書店ＩＤから書店のウェブサーバのURLを検索する変換サーバに送信し、変換サーバが返信した書店のウェブサーバのURLにアクセスものである。上記本発明の構成により、購読した電子書籍の関連書籍を購入することを希望する利用者は、閲覧ソフトから関連書籍の購入を指示することにより、自動的に、あるいは簡単な操作により前回電子書籍を購入したオンライン書店のウェブサーバをアクセスすることが可能となる。
【００２４】
本発明の第１の実施態様は、変換サーバを複数のオンライン書店が販売した電子書籍を配信する取次書店120のシステム内に設置する構成である。上記構成とすることにより、変換サーバ122を電子書籍を配信する配信サーバ121と一体に構成する、あるいは多くを共用化することが可能となる。また、書店テーブル303の更新等のメンテナンス作業は、配信サーバ121のデータを利用することにより簡易に行うことが可能となる。
【００２５】
図８に示される形態は変換サーバ180を取次書店120のシステムから独立した構成とするものである。当該構成とすることにより、変換サーバ180を複数の取次書店により共用することが可能となる。
図９は本発明の他の実施態様を示すものであり、利用者端末が属するネットワーク内に変換サーバ18１を設ける構成である。たとえば、携帯電話網180内に変換サーバ181を設けることにより、変換サーバに対して迅速なアクセスが可能となる。
【産業上の利用可能性】
【００２６】
オンライン書店で購入した電子書籍を取次書店の配信サーバからダウンロードする電子書籍の販売システムでは、ダウンロードした電子書籍には書籍を購入したオンライン書店のウェブサーバのURL等の情報を付加することはできない。従って、利用者が先に購入した電子書籍の関連図書を前回利用したオンライン書店から購入する場合であっても、インターネットに開設されている多くのオンライン書店から目的のオンライン書店を探し出す作業から行う必要がある。
本発明は、配信サーバが配信する電子書籍のヘッダーに、利用者が当該電子書籍を購入したオンライン書店を識別可能とする書店ＩＤを付加し、変換サーバが書店ＩＤからオンライン書店のウェブサーバのURLを検索して利用者端末に送信する構成を有している。
本発明の上記構成により、前回購入した電子書籍の関連書籍の購入を希望する利用者は、閲覧ソフトから関連書籍の購入を指示することにより、利用者端末は自動的に変換サーバをアクセスして前回電子書籍を購入したオンライン書店のURLを取得し、当該URLにアクセスする。従って、利用者は簡単な操作により目的のオンライン書店を利用することが可能となる。
また、変換サーバはオンライン書店のウェブサーバ内のページと当該オンライン書店が販売する電子書籍と関連を蓄積する構成とすることも可能である。この構成により、利用者が購入を希望する電子書籍に対応するウェブサーバ内のページに少ない操作により到達が可能となる。
【図面の簡単な説明】
【００２７】
【図１】本発明の第１の実施態様の概要図
【図２】本発明に係る配信サーバの概要と電子書籍の形態を示す図
【図３−１】本発明に係る変換サーバの概要と書店テーブルを示す図
【図３−２】書店テーブルの他の形態を示す図
【図４】本発明に係る利用者端末の概要を示す図
【図５】本発明に係る電子書籍販売システムのシーケンスを示す図
【図６】本発明に係る電子書籍販売システムにおいて電子書籍を購入するフローを示す図
【図７−１】本発明に係る電子書籍販売システムにおいて関連書籍を購入するフローを示す図
【図７−２】関連書籍を購入するフローにおけるガイダンスを示す図
【図８】本発明の第２の実施態様の概要図
【図９】本発明の第３の実施態様の概要図
【図１０】従来の電子書籍販売システムの概要図
【図１１】従来の電子書籍販売システムの処理フローの概要図
【図１】
0005064260.tif 000002
【図２】
0005064260.tif 000003
【図３−１】
0005064260.tif 000004
【図３−２】
0005064260.tif 000005
【図４】
0005064260.tif 000006
【図５】
0005064260.tif 000007
【図６】
0005064260.tif 000008
【図７−１】
0005064260.tif 000009
【図７−２】
0005064260.tif 000010
【図８】
0005064260.tif 000011
【図９】
0005064260.tif 000012
【図１０】
0005064260.tif 000013
【図１１】
0005064260.tif 000014